(57)【特許請求の範囲】
【請求項１】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、
上記入力部より入力された境界部を挟んで右眼用画像と左眼用画像とが並んだ１つの画像データファイルを表示する表示部と、
上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、
上記指示手段の指示位置を操作する位置入力手段と、
上記指示手段で指示された領域に対応した上記右眼用画像、上記左眼用画像の何れか他方の画像の領域を略矩形をなす他の切取線で表示するように制御し、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルとを記録媒体のフォルダ内に保存するように制御する制御装置とを備え、
上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成装置。
【請求項２】
上記指示手段は、上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記制御装置は、上記クロスポイントの調整をしたとき、上記情報ファイルに、上記調整後のクロスポイントの座標を記録する請求項１記載の立体画像データ生成装置。
【請求項３】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、
上記入力部より入力された境界部を挟んで右眼用画像と左眼用画像とが並んだ１つの画像データファイルを表示部に表示するステップと、
上記入力部より入力された境界部を挟んで右眼用画像と左眼用画像とが並んだ１つの画像データファイルの上記境界部に分割ラインを指示手段が指示するステップと、
上記指示手段が上記表示部に表示された上記右眼用画像、上記左眼用画像の何れか一方の画像の所定領域を略矩形をなす一の切取線で指示するステップと、
上記指示手段で指示された領域に対応した上記右眼用画像、上記左眼用画像の何れか他方の画像の領域を略矩形をなす他の切取線で表示するように制御するステップと、
上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルとを記録媒体のフォルダ内に保存するように制御するステップとを有し、
上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成方法。
【請求項４】
上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記クロスポイントの調整をしたとき、上記情報ファイルに、上記調整後のクロスポイントの座標を記録する請求項３記載の立体画像データ生成方法。
【請求項５】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、
上記入力部より入力された境界部を挟んで右眼用画像と左眼用画像とが並んだ１つの画像データファイルを表示する表示部と、
上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、
上記指示手段の指示位置を操作する位置入力手段と、
上記指示手段で指示された領域に対応した上記右眼用画像、上記左眼用画像の何れか他方の画像の領域を略矩形をなす他の切取線で表示するように制御し、上記入力部より入力された境界部を挟んで右眼用画像と左眼用画像とが並んだ１つの画像データファイルと、該１つの画像データファイルから上記指示手段において指示した上記一の切取線と上記他の切取線の位置を示す切取情報と該切取情報に従って切り取られた上記右眼用画像と上記左眼用画像とを上記表示部に視差を有するように表示するためのクロスポイントの座標情報が記録された情報ファイルとを記録媒体のフォルダ内に保存するように制御する制御装置とを備え、
上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成装置。
【請求項６】
上記指示手段は、上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記制御装置は、上記クロスポイントの調整をしたとき、上記情報ファイルに、上記調整後のクロスポイントの座標を記録する請求項５記載の立体画像データ生成装置。
【請求項７】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、
上記入力部より入力された境界部を挟んで右眼用画像と左眼用画像とが並んだ１つの画像データファイルを表示部に表示するステップと、
上記入力部より入力された境界部を挟んで右眼用画像と左眼用画像とが並んだ１つの画像データファイルの上記境界部に分割ラインを指示手段が指示するステップと、
上記指示手段が上記表示部に表示された上記右眼用画像、上記左眼用画像の何れか一方の画像の所定領域を略矩形をなす一の切取線で指示するステップと、
上記指示手段で指示された領域に対応した上記右眼用画像、上記左眼用画像の何れか他方の画像の領域を略矩形をなす他の切取線で表示するように制御するステップと、
上記入力部より入力された境界部を挟んで右眼用画像と左眼用画像とが並んだ１つの画像データファイルと、該１つの画像データファイルから上記指示手段において指示した上記一の切取線と上記他の切取線の位置を示す切取情報と該切取情報に従って切り取られた上記右眼用画像と上記左眼用画像とを上記表示部に視差を有するように表示するためのクロスポイントの座標情報が記録された情報ファイルとを記録媒体のフォルダ内に保存するように制御するステップとを有し、
上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成方法。
【請求項８】
上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記クロスポイントの調整をしたとき、上記情報ファイルに、上記調整後のクロスポイントの座標を記録する請求項７記載の立体画像データ生成方法。
【請求項９】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、
上記入力部より入力された境界部を挟んで右眼用画像と左眼用画像とが並んだ１つの画像データファイルを表示する表示部と、
上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、
上記指示手段の指示位置を操作する位置入力手段と、
上記指示手段で指示された領域に対応した上記右眼用画像、上記左眼用画像の何れか他方の画像の領域を略矩形をなす他の切取線で表示するように制御し、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルと、上記右眼用画像データの水平走査線のデータと上記左眼用画像データの水平走査線のデータとが交互に記憶された合成画像データファイルとを記録媒体のフォルダ内に保存するように制御する制御装置とを備え、
上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成装置。
【請求項１０】
上記指示手段は、上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記制御装置は、上記クロスポイントの調整をしたとき、上記情報ファイルに、上記調整後のクロスポイントの座標を記録する請求項９記載の立体画像データ生成装置。
【請求項１１】
１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、
上記入力部より入力された境界部を挟んで右眼用画像と左眼用画像とが並んだ１つの画像データファイルを表示部に表示するステップと、
上記入力部より入力された境界部を挟んで右眼用画像と左眼用画像とが並んだ１つの画像データファイルの上記境界部に分割ラインを指示手段が指示するステップと、
上記指示手段が上記表示部に表示された上記右眼用画像、上記左眼用画像の何れか一方の画像の所定領域を略矩形をなす一の切取線で指示するステップと、
上記指示手段で指示された領域に対応した上記右眼用画像、上記左眼用画像の何れか他方の画像の領域を略矩形をなす他の切取線で表示するように制御するステップと、
上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルと、上記右眼用画像データの水平走査線のデータと上記左眼用画像データの水平走査線のデータとが交互に記憶された合成画像データファイルとを記録媒体のフォルダ内に保存するように制御するステップとを有し、
上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する立体画像データ生成方法。
【請求項１２】
上記表示部に表示された、上記右眼用画像の上記切取線で切り取って形成された右眼用画像と上記左眼用画像の上記切取線で切り取って形成された左眼用画像とを水平方向に移動して上記クロスポイントを調整することができ、
上記クロスポイントの調整をしたとき、上記情報ファイルに、上記調整後のクロスポイントの座標を記録する請求項１１記載の立体画像データ生成方法。
【発明の詳細な説明】
【０００１】
【発明の属する技術分野】
本発明は、表示手段に右眼用画像と左眼用画像を視差を有するように表示される画像データが記録された立体画像データ生成装置及び立体画像データ生成方法に関する。
【０００２】
【従来の技術】
従来、２次元の画像を立体的に表示する立体画像表示システムは、右眼用と左眼用となる２台のカメラを人間の眼幅分（約６５ｍｍ）離間して三脚等に固定してなる撮像装置と、上記２台のカメラがそれぞれ撮像した画像データが供給され、これらの画像データを視差を有するように交互に画像を表示する画像表示装置と、画像表示装置に表示される画像に合わせて片眼ずつ見えなくするシャッタ眼鏡とから構成されている。
【０００３】
このような立体画像表示システムでは、撮像装置を構成する２台のカメラを同期させて駆動される。そして、画像表示装置は、２台のカメラで撮像された２つの画像データを交互に表示する。このとき、画像表示装置には、右眼用の画像データと左眼用画像データとが視差を有するように交互に表示される。また、この画像表示装置には、シャッタ眼鏡が接続されている。シャッタ眼鏡は、画像表示装置に右眼用の画像が表示されているとき、右眼用レンズを透視状態にし、左眼用レンズを遮光状態にする。また、シャッタ眼鏡は、画像表示装置に左眼用の画像が表示されているとき、左眼用レンズを透視状態にし、右眼用レンズを遮光状態にする。このように、画像表示システムでは、画像表示装置に表示される画像とシャッタ眼鏡の左右一対のレンズのオンオフを同期させることで、利用者が立体視できるようにしている。
【０００４】
【発明が解決しようとする課題】
ところで、この立体画像表示システムにおいて、２台のカメラで撮影した右眼用画像データと左眼用画像データを保存する方法としては、右眼用画像データの水平走査線のデータと左眼用画像データの水平走査線のデータとが交互になるように保存する方法がある。
【０００５】
しかしながら、このような方法は、既に右眼用画像データと左眼用画像データとが合成してあることから、画像を拡大若しくは縮小するなどの編集を行うことができなかった。
【０００６】
そこで、本発明は、立体表示用の画像を再編集することができるようにデータを記録した立体画像データ生成装置及び立体画像データ生成方法を提供することを目的とする。
【０００７】
【課題を解決するための手段】
本発明に係る立体画像データ生成装置は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、上記入力部より入力された境界部を挟んで右眼用画像と左眼用画像とが並んだ１つの画像データファイルを表示する表示部と、上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、上記指示手段の指示位置を操作する位置入力手段と、上記指示手段で指示された領域に対応した上記右眼用画像、上記左眼用画像の何れか他方の画像の領域を略矩形をなす他の切取線で表示するように制御し、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルとを記録媒体のフォルダ内に保存するように制御する制御装置とを備える。上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【０００８】
また、本発明に係る立体画像データ生成方法は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、上記入力部より入力された境界部を挟んで右眼用画像と左眼用画像とが並んだ１つの画像データファイルを表示部に表示するステップと、上記入力部より入力された境界部を挟んで右眼用画像と左眼用画像とが並んだ１つの画像データファイルの上記境界部に分割ラインを指示手段が指示するステップと、上記指示手段が上記表示部に表示された上記右眼用画像、上記左眼用画像の何れか一方の画像の所定領域を略矩形をなす一の切取線で指示するステップと、上記指示手段で指示された領域に対応した上記右眼用画像、上記左眼用画像の何れか他方の画像の領域を略矩形をなす他の切取線で表示するように制御するステップと、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルとを記録媒体のフォルダ内に保存するように制御するステップとを有する。上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【０００９】
更には、本発明に係る立体画像データ生成装置は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、上記入力部より入力された境界部を挟んで右眼用画像と左眼用画像とが並んだ１つの画像データファイルを表示する表示部と、上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、上記指示手段の指示位置を操作する位置入力手段と、上記指示手段で指示された領域に対応した上記右眼用画像、上記左眼用画像の何れか他方の画像の領域を略矩形をなす他の切取線で表示するように制御し、上記入力部より入力された境界部を挟んで右眼用画像と左眼用画像とが並んだ１つの画像データファイルと、該１つの画像データファイルから上記指示手段において指示した上記一の切取線と上記他の切取線の位置を示す切取情報と該切取情報に従って切り取られた上記右眼用画像と上記左眼用画像とを上記表示部に視差を有するように表示するためのクロスポイントの座標情報が記録された情報ファイルとを記録媒体のフォルダ内に保存するように制御する制御装置とを備える。上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【００１０】
更にまた、本発明に係る立体画像データ生成方法は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、上記入力部より入力された境界部を挟んで右眼用画像と左眼用画像とが並んだ１つの画像データファイルを表示部に表示するステップと、上記入力部より入力された境界部を挟んで右眼用画像と左眼用画像とが並んだ１つの画像データファイルの上記境界部に分割ラインを指示手段が指示するステップと、上記指示手段が上記表示部に表示された上記右眼用画像、上記左眼用画像の何れか一方の画像の所定領域を略矩形をなす一の切取線で指示するステップと、上記指示手段で指示された領域に対応した上記右眼用画像、上記左眼用画像の何れか他方の画像の領域を略矩形をなす他の切取線で表示するように制御するステップと、上記入力部より入力された境界部を挟んで右眼用画像と左眼用画像とが並んだ１つの画像データファイルと、該１つの画像データファイルから上記指示手段において指示した上記一の切取線と上記他の切取線の位置を示す切取情報と該切取情報に従って切り取られた上記右眼用画像と上記左眼用画像とを上記表示部に視差を有するように表示するためのクロスポイントの座標情報が記録された情報ファイルとを記録媒体のフォルダ内に保存するように制御するステップとを有する。上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【００１１】
更にまた、本発明に係る立体画像データ生成装置は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルが入力される入力部と、上記入力部より入力された境界部を挟んで右眼用画像と左眼用画像とが並んだ１つの画像データファイルを表示する表示部と、上記入力部より入力された境界部を挟んで右眼用画像と左眼用画像とが並んだ１つの画像データファイルの上記境界部に分割ラインを指示するとともに、上記表示部に表示された上記右眼用画像、上記左眼用画像の何れか一方の画像の所定領域を略矩形をなす一の切取線で指示する指示手段と、上記指示手段の指示位置を操作する位置入力手段と、上記指示手段で指示された領域に対応した上記右眼用画像、上記左眼用画像の何れか他方の画像の領域を略矩形をなす他の切取線で表示するように制御し、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルと、上記右眼用画像データの水平走査線のデータと上記左眼用画像データの水平走査線のデータとが交互に記憶された合成画像データファイルとを記録媒体のフォルダ内に保存するように制御する制御装置とを備える。上記制御装置は、上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【００１２】
更にまた、本発明に係る立体画像データ生成方法は、上述した課題を解決すべく、１つの撮像素子の略右半分に右眼用画像が取り込まれ、略左半分に左眼用画像が取り込まれて生成された、境界部を挟んで該右眼用画像と該左眼用画像とが並んだ１つの画像データファイルを入力部に入力するステップと、上記入力部より入力された境界部を挟んで右眼用画像と左眼用画像とが並んだ１つの画像データファイルを表示部に表示するステップと、上記入力部より入力された境界部を挟んで右眼用画像と左眼用画像とが並んだ１つの画像データファイルの上記境界部に分割ラインを指示手段が指示するステップと、上記指示手段が上記表示部に表示された上記右眼用画像、上記左眼用画像の何れか一方の画像の所定領域を略矩形をなす一の切取線で指示するステップと、上記指示手段で指示された領域に対応した上記右眼用画像、上記左眼用画像の何れか他方の画像の領域を略矩形をなす他の切取線で表示するように制御するステップと、上記右眼用画像の上記切取線で切り取って形成された右眼用画像データのファイルと、上記左眼用画像の上記切取線で切り取って形成された左眼用画像データのファイルと、上記右眼用画像データと上記左眼用画像データとを上記表示部に視差を有するように表示するためのクロスポイントの座標情報が記録された情報ファイルと、上記右眼用画像データの水平走査線のデータと上記左眼用画像データの水平走査線のデータとが交互に記憶された合成画像データファイルとを記録媒体のフォルダ内に保存するように制御するステップとを有する。上記指示手段が上記表示部に表示された上記右眼用画像、上記左眼用画像の何れか一方の画像の所定領域を上記一の切取線で指示したとき、上記分割ラインと該一方の画像の一の切取線の分割ライン側の線との間隔が、上記他方の画像の分割ラインと反対側の側縁と上記他の切取線の該側縁側の線との間隔と等しくなるように、該他の切取線を表示するように制御する。
【００１３】
【発明の実施の形態】
以下、本発明が適用された立体画像表示システムについて、図面を参照して説明する。
【００１４】
図１に示すように、本発明が適用された立体画像表示システム１は、映像を撮影するためのディジタルカメラ２と、このディジタルカメラ２で生成された画像データを取り込み、この画像データのデータ処理を行い、ディスプレイ５５に視差のある画像を表示する制御装置３と、ディスプレイ５５に表示される画像に合わせて片眼ずつ見えなくするシャッタ眼鏡４とから構成されている。また、ディジタルカメラ２には、撮像レンズ、フォーカスレンズ等のレンズが内蔵された鏡筒に、右眼用の画像と左眼用の画像を取り込むためのアダプタ５が取り付けられている。これにより、このディジタルカメラ２に用いられている１つのＣＣＤ素子には、右眼用の画像と左眼用の画像が取り込まれる。そして、制御装置３には、ディジタルカメラ２で生成された右眼用の画像と左眼用の画像とからなる画像データが供給される。制御装置３は、文字入力手段であるキーボード７ａ、ポインタ等の指示手段の指示位置を操作する位置入力手段となるマウス７ｂ等からなる入力装置７からの入力信号に基づいて、例えば右眼用の画像と左眼用の画像の切り取りを行う。そして、この制御装置３は、ＣＲＴ（Cathode-Ray Tube）や液晶表示パネル等のディスプレイ５５に切り取られた右眼用切取画像と左眼用切取画像を交互に表示する。また、制御装置３とディスプレイ５５との間には、シャッタ眼鏡４のオンオフを制御する眼鏡制御装置６が設けられている。シャッタ眼鏡４は、右眼用レンズ部４ａと左眼用レンズ部４ａとを有し、これら右眼用レンズ部４ａと左眼用レンズ部４ｂとは、液晶シャッタにより構成されている。このようなシャッタ眼鏡４は、この眼鏡制御装置６に接続されている。シャッタ眼鏡４は、眼鏡制御装置６の制御によりディスプレイ５５に交互に表示される右眼用の画像と左眼用の画像に同期させてレンズ部４ａ，４ｂを構成する液晶シャッタを開閉させる。これにより、利用者は、ディスプレイ５５に交互に表示される右眼用切取画像と左眼用切取画像に合わせてシャッタ眼鏡４のレンズ部４ａ，４ｂの開閉を行うことで、ディスプレイ５５に表示される画像を立体的に見ることができる。
【００１５】
以下、以上のような立体画像表示システム１を構成するディジタルカメラ２と、制御装置３と、アダプタ５と、眼鏡制御装置６について、図面を参照して説明する。
【００１６】
ディジタルカメラ２は、通常のディジタルカメラと同様な構成を有しており、図２に示すように、撮像レンズ１１より入射された光を光電変換し、撮像信号を生成するＣＣＤ（Charge Coupled Device）素子１２と、ＣＣＤ素子１２からの撮像信号の雑音を除去するＣＤＳ／ＡＧＣ（Correlated Double Sampling / Automatic Gain Control）１３と、ＣＤＳ／ＡＧＣ１３からの撮像信号をディジタル信号に変換するＡ／Ｄコンバータ１４と、色コーディングに対応した信号処理をする信号処理部１５とを備える。
【００１７】
イメージセンサとなるＣＣＤ素子１２は、画素が数百万設けられた２次元カラーイメージセンサであって、撮像光を原色（Ｒ、Ｇ、Ｂ）或いは補色（Ｙｅ、Ｃｙ、Ｍｇ）の色コーディングフィルタにより色コーディングされた撮像信号に変換して、ＣＤＳ／ＡＧＣ１３に出力する。
【００１８】
ＣＤＳ／ＡＧＣ１３は、ＣＣＤ素子１２から供給された撮像信号の相関２重サンプルホールドを行うとともに、リセット雑音の除去やゲインコントロールをしてＡ／Ｄコンバータ１４に出力する。
【００１９】
Ａ／Ｄコンバータ１４は、ＣＤＳ／ＡＧＣ１３からの撮像信号をディジタル方式の画像データに変換する。そして、Ａ／Ｄコンバータ１４は、ディジタル変換された画像データを信号処理部１５に出力する。
【００２０】
信号処理部１５は、Ａ／Ｄコンバータ１４からの画像データに対してＣＣＤ素子１２の色コーディングフィルタによる色コーディングに対応したデコード処理等を行い画像データから輝度情報、色差情報等を生成する。
【００２１】
また、ディジタルカメラ２は、図２に示すように、信号処理部１５で処理が行われた画像データを圧縮する圧縮部１６と、圧縮部１６で圧縮された画像データを記憶するメモリ１７と、圧縮部１６で圧縮された画像データを制御装置３に送信するためのＵＳＢ（Universal Sirial Bus）用インターフェース１８と、フラッシュメモリ等を記憶媒体に用いるＩＣカード８に画像データを送信するためのＩＣカード用インターフェース１９と、全体を制御する制御部２０とを備える。
【００２２】
圧縮部１６は、信号処理部１５で信号処理された画像データを例えばＪＰＥＧ（Joint Photographic Experts Group）形式で圧縮する。そして、圧縮部１６は、ＪＰＥＧ形式で圧縮した画像データをメモリ１７に出力し、メモリ１７には、ＪＰＥＧ形式で圧縮した画像データが記憶される。
【００２３】
また、ＵＳＢ用インターフェース１８は、例えばメモリ１７に記憶されたＪＰＥＧ形式で圧縮した画像データを制御装置３に転送する。また、ＩＣカード用インターフェース１９は、外部記憶装置となるカード型のＩＣカード８に例えばメモリ１７に記憶されたＪＰＥＧ形式で圧縮した画像データを制御装置３に転送する。
【００２４】
制御部２０は、ディジタルカメラ２の全体を制御する。具体的に、制御部２０は、図示しない操作部からの操作信号に基づき、フォーカスレンズやズームレンズ等を駆動制御する。また、制御部２０は、ＪＰＥＧ形式に圧縮された画像データをメモリ１７に記憶させる。更には、制御部２０は、メモリ１７に圧縮された画像データを記憶させることなく、直接ＵＳＢ用インターフェース１８を介して制御装置３に転送し、また、ＩＣカード用インターフェース１９を介してＩＣカード８に記憶させる。
【００２５】
以上のようなディジタルカメラ２で映像を撮影し、このデータをメモリ１７に記録するとき、ディジタルカメラ２は、撮像レンズ１１より入射された光をＣＣＤ素子１２で光電変換し、生成された撮像信号をＣＤＳ／ＡＧＣ１３を介してＡ／Ｄコンバータ１４でディジタル変換して画像データを生成し、信号処理部１５で信号処理をし、圧縮部１６でＪＰＥＧ形式に画像データを圧縮し、メモリ１７に圧縮された画像データを記憶する。また、メモリ１７に記憶されているＪＰＥＧ形式の画像データをＩＣカード８に記録するとき、制御部２０は、操作部からの操作信号に応じて、ＩＣカード用インターフェース１９を介してディジタルカメラ２に装着されたＩＣカード８に記録し、また、ＵＳＢにより制御装置３に画像データを転送するとき、制御部２０は、操作部からの操作信号に応じて、ＵＳＢ用インターフェース１８を介して制御装置３に転送する。
【００２６】
ところで、図１に示すように、ディジタルカメラ２の鏡筒２ａには、右眼用の画像と左眼用の画像を取り込むためのアダプタ５が取り付けられている。このアダプタ５は、上記ディジタルカメラ２に用いられている１枚のＣＣＤ素子１２に略中央を境に右眼用の画像と左眼用の画像を取り込むためのものである。このアダプタ５は、図３及び図４に示すように、外筐３１の側壁となる左右両側の傾斜壁３２ａ，３２ｂの内面に、第１の平板ミラー３３ａ，３３ｂが設けられている。また、外筐３１の略中央には、略三角の仕切り壁３４が設けられている。この仕切り壁３４の一側面３４ｃは、外筐３１の前面に臨まされ、外筐３１とで外光を取り込むための右眼用開口部３５ａと左眼用開口部３５ｂを構成している。また、この一側面３４ｃと隣り合う２側面３４ａ，３４ｂは、外筐３１の傾斜壁３２ａ，３２ｂと略平行となるように設けられており、これら２側面３４ａ，３４ｂには、第１の平板ミラー３３ａ，３３ｂに略対向するように、第２の平板ミラー３６ａ，３６ｂが設けられている。更には、外筐３１の背面壁３７には、第１の平板ミラー３３ａ，３３ｂと第２の平板ミラー３６ａ，３６ｂに反射された外光をディジタルカメラ２の鏡筒２ａ内に取り込むための開口部３８が形成されている。
【００２７】
以上のように構成されるアダプタ５は、開口部３８をディジタルカメラ２の撮像レンズ１１に臨ませるようにして鏡筒２ａの先端側に取り付けられる。そして、右眼用開口部３５ａより取り込まれる外光Ｒと左眼用開口部３５ｂより取り込まれる外光Ｌは、第１の平板ミラー３３ａ，３３ｂに反射され、次いで第２の平板ミラー３６ａ，３６ｂに反射され、開口部３８に臨まされた撮像レンズ１１を介してディジタルカメラ２のＣＣＤ素子１２に取り込まれる。ここで、図４に示すように、ＣＣＤ素子１２には、図４に示すように、点３９ａ，３９ｂにおける画角をθとすると、画角が２θの画像が取り込まれる。また、点３９ａ，３９ｂの間隔Ｄは、視差を決定するものであるから、間隔Ｄは、人間の眼幅に合わせて６５ｍｍ〜７０ｍｍに設定されている。なお、この間隔Ｄは、個人差に合わせて調整できるようにしてもよい。したがって、ＣＣＤ素子１２には、眼幅分離れた右眼用の画像と左眼用の画像が左右に並んで取り込まれることになる。
【００２８】
ここで、図５は、ディジタルカメラ２にアダプタ５を取り付けた際、ＣＣＤ素子１２に取り込まれた画像であり、この画像４１は、手前に植木鉢の花を置き、背景を山として女性を撮影したものである。図５に示すように、画像４１は、境界部４２を境に、略右半分に右眼用画像４１ａが設けられ、略左半分に左眼用画像４１ｂが設けられている。右眼用画像４１ａと左眼用画像４１ｂとを比較すると、例えば右眼用画像４１ａの花４３ａや山４４ａは、左眼用画像４１ｂの花４３ｂや山４４ｂより図中やや左側にずれている。このように、右眼用画像４１ａと左眼用画像４１ｂとは、左右の視差の分、すなわち間隔Ｄ分ずれている。なお、境界部４２は、実際にはぼやけた白いラインに形成されている。
【００２９】
したがって、ディジタルカメラ２にアダプタ５を取り付けて撮影をした場合には、１つのＣＣＤ素子１２に、右眼用画像４１ａと左眼用画像４１ｂとからなる画像４１が取り込まれ、これを１単位とした画像データがメモリ１７やＩＣカード８に記憶され、また、ＵＳＢ用インターフェース１８を介して制御装置３に転送される。このようなアダプタ５を用いることにより、ディジタルカメラ２では、立体画像用画像４１を１つのファイルで構成することができ、管理を容易にすることができる。また、従来のカメラを２台用いる場合のように、各カメラの同期をとるためのタイミングジェネレータ等を設ける必要もなくなり、構成の簡素化を図ることができる。更に、アダプタ５を取り付けたディジタルカメラ２では、静止画を連続撮影し、動画とする場合にも、２台のカメラを用いることなく左右画像を同時に撮影することができる。更には、アダプタ５が取り付けられたディジタルカメラ２では、２台のカメラレンズの光軸を合わせる必要もないことから、ズームレンズを用いたズーム機能を使用することもできる。
【００３０】
次に、以上のようなアダプタ５が取り付けられたディジタルカメラ２で生成された画像データ、すなわち右眼用画像４１ａと左眼用画像４１ｂとからなる画像４１を編集し表示する制御装置３について、図６を参照して説明する。
【００３１】
この制御装置３は、通常のパーソナルコンピュータと略同様な構成を有しており、上述した画像４１の画像データやこの画像データを編集するためのアプリケーションプログラムや立体的に表示させるためのアプリケーションプログラム等が記録されているハードディスク（以下、ＨＤＤともいう。）５１と、ＨＤＤ５１に記録されているアプリケーションプログラム等を一旦読み込むランダムアクセスメモリ（Random-Access Memory，以下、ＲＡＭともいう。）５２と、上述したディジタルカメラ２とデータ伝送を行うためのＵＳＢ用インターフェース５３と、ＩＣカード８に記録されたデータを読み出すためのＩＣカード用インターフェース５４と、画像を表示するためのディスプレイ５５と、画像データをディスプレイ５５に表示させるためのビデオランダムアクセスメモリ（Video Random-Access Memory，以下、ＶＲＡＭともいう。）５６と、アプリケーションプログラムを実行させるためのコマンドを入力するためのキーボード５７ａやマウス５７ｂとからなる入力装置５７と、ＪＰＥＧ形式のデータを伸長するとともにデータをＪＰＥＧ形式に圧縮する圧縮／伸長部５８と、全体を制御する制御部となるマイクロプロセッサ（Micro Processor Unit，以下、ＭＰＵともいう。）５８とを備える。
【００３２】
ＨＤＤ５１は、オペレーティングシステム（Operating Systen，以下、ＯＳともいう。）や、右眼用画像４１ａと左眼用画像４１ｂとからなる画像４１を編集するための編集プログラムや、この編集プログラムで編集された画像を見るためのブラウザや、右眼用画像４１ａと左眼用画像４１ｂとからなる画像データ等が記録されている。
【００３３】
ＲＡＭ５２は、実行するアプリケーションプログラムや処理を行う画像データがＨＤＤ５１等から読み込まれる。例えば、ＨＤＤ５１より読み出された右眼用画像４１ａと左眼用画像とからなる画像データは、このＲＡＭ５２で単一の画像データよりディスプレイ５５に表示するための右眼用画像と左眼用画像を切り取る切取処理が行われる。
【００３４】
ＵＳＢ用インターフェース５３は、ＵＳＢによりディジタルカメラ２のＵＳＢ用インターフェース１８と接続されたとき、ディジタルカメラ２でＪＰＥＧ方式で圧縮された画像データを受信する。そして、ＵＳＢ用インターフェース５３で受信した画像データは、ＭＰＵ５９によりＨＤＤ５１に記憶される。
【００３５】
ＩＣカード用インターフェース５４は、ＩＣカード８が装置本体に設けられたＩＣカード８のドライブに装着されたとき、ＩＣカード８に記憶された例えばディジタルカメラ２で撮影された画像の画像データを読み出す。そして、ＵＳＢ用インターフェース５３で読み出された画像データは、ＭＰＵ５９によりＨＤＤ５１に記憶される。
【００３６】
ディスプレイ５５は、ＣＲＴや液晶表示パネルからなり、編集処理を行う前には、図５に示すような右眼用画像４１ａと左眼用画像４１ｂとが水平方向に並んで構成された画像４１を表示する。また、右眼用画像４１ａと左眼用画像４１ｂの切取処理の終わった右眼用切取画像データと左眼用切取画像データとを視差を有するように交互に表示する。なお、ディスプレイ５５は、プログレッシブ方式でもインターレース方式であってもよい。
【００３７】
ディスプレイ５５に画像を表示するためのＶＲＡＭ５６は、１フレーム分の切取画像データを記憶するのに必要な容量を有するメモリ部５６ａ，５６ｂを有する。例えば、メモリ部５６ａには、右眼用切取画像データが１フレーム分記憶され、メモリ５６ｂには、左眼用切取画像データが１フレーム分記憶される。そして、ＶＲＡＭ５６は、メモリ部５６ａに記憶された右眼用切取画像データとメモリ部５６ｂに記憶された左眼用切取画像データを交互にディスプレイ５５に出力する。
【００３８】
圧縮／伸長部５８は、例えばＩＣカード８に記録されたＪＰＥＧ形式に圧縮された画像データをＲＡＭ５２に読み出すときこの圧縮された画像データを伸長する。また、圧縮／伸長部５８は、編集された画像データを保存するとき、ＲＡＭ５６の画像データをＪＰＥＧ形式に圧縮してＨＤＤ５１やＩＣカード８に保存する。
【００３９】
ＭＰＵ５９は、装置全体を制御するものである。例えば、ＭＰＵ５９は、ＵＳＢ用インターフェース５３やＩＣカード用インターフェース５４で読み出した画像データをＨＤＤ５１に保存する。また、ＭＰＵ５９は、ＨＤＤ５１より右眼用画像４１ａと左眼用画像４１ｂとからなる画像４１を編集するための編集プログラムやこの編集プログラムで編集された画像を見るためのブラウザやこれらのプログラムで処理される画像データをＲＡＭ５２に読み出す。そして、ＭＰＵ５９は、読み出した単一の画像データよりディスプレイ５５に表示するための右眼用画像と左眼用画像を切り取る切取処理を行い、ＲＡＭ５２より処理を行った右眼用切取画像データをＶＲＡＭ５６のメモリ部５６ａに出力し、左眼用切取画像データをメモリ部５６ｂに出力する。
【００４０】
以上のような制御装置３は、右眼用切取画像と左眼用切取画像とからなる画像データをディスプレイ５５に表示するとき、次のように動作する。すなわち、ＭＰＵ５９は、ＨＤＤ５１等よりＪＰＥＧ形式に圧縮された右眼用画像と左眼用画像とからなる画像データを伸長した後、ＲＡＭ５２にこの画像データを読み出し、利用者が操作する入力装置７からのコマンドに基づき図５に示す右眼用画像４１ａと左眼用画像４１ｂの所定領域を切り出し、切り出した右眼用切取画像データをＶＲＡＭ５６を構成するメモリ部５６ａに出力し、左眼用切取画像データをメモリ部５６ｂに出力する。次いで、ＶＲＡＭ５６は、ディスプレイ５５にメモリ部５６ａより右眼用切取画像データを、メモリ部５６ｂより左眼用切取画像データを交互に出力する。ここで、各切取画像データは、走査線のすべてを順に描く方式、すなわちプログレッシブ方式のディスプレイ５５に出力される。ディスプレイ５５には、右眼用の切取画像と左眼用の切取画像が交互に写し出され、シャッタ眼鏡４をかけた利用者は、ディスプレイ５５に写し出された画像を立体的に見ることができる。
【００４１】
ところで、右眼用の画像と左眼用の画像とをプログレッシブ方式のディスプレイ５５に表示する場合、図１及び図６に示すように、１フレーム分の右眼用切取画像と左眼用切取画像をＶＲＡＭ５６のメモリ部５６ａ，５６ｂより読み出し交互に表示し、シャッタ眼鏡４では、この切り換えに同期させて右眼用レンズ部４ａと左眼用レンズ部４ａのシャッタを切り換える必要がある。このため、ディスプレイ５５とＶＲＡＭ５６との間には、シャッタ眼鏡４を制御する眼鏡制御装置６が取り付けられている。
【００４２】
この眼鏡制御装置６は、図７に示すように、ＶＲＡＭ５６のメモリ部５６ａ，５６ｂに記憶されている１フレーム分の右眼用切取画像データと左眼用切取画像データをディスプレイ５５に出力するとき、各画像データの垂直同期信号を検出する検出部６１と、一方が検出部６１に接続され、他方がシャッタ眼鏡４の右眼用レンズ部４ａの端子６２と左眼用レンズ部４ｂの端子６３に選択的に接続されるスイッチ６４とを備える。
【００４３】
図８（Ａ）に示すように、ＶＲＡＭ５６よりディスプレイ５５に右眼用切取画像データと左眼用切取画像データが交互に出力されているとき、検出部６１は、各切取画像データの垂直同期信号を検出する。例えば、検出部６１は、右眼用の切取画像データがＶＲＡＭ５６のメモリ部５６ａより出力されると、この切取画像データの垂直同期信号を検出する。右眼用切取画像データの垂直同期信号を検出すると、検出部６１は、図８（Ｂ）に示すように、次に表示される左眼用切取画像データを利用者が左眼で見ることができようにするため、シャッタ眼鏡４の左眼用レンズ部４ｂをオフとし、図８（Ｃ）に示すように、右眼用レンズ部４ａをオンとするようにスイッチ６４を切り換える。これにより、ディスプレイ５５に左眼用切取画像が表示されているとき、左眼用レンズ部４ｂが透視状態となり、右眼用レンズ部４ａが透視状態となる。
【００４４】
次いで、検出部６１は、現在表示されている左眼用切取画像データの垂直同期信号を検出すると、図８（Ｃ）に示すように、次に表示される右眼用切取画像データを利用者が右眼で見ることができようにするため、シャッタ眼鏡４の右眼用レンズ部４ａをオフとし、図８（Ｂ）に示すように、左眼用レンズ部４ｂをオンとするようにスイッチ６４を切り換える。これにより、ディスプレイ５５に右眼用の切取画像が表示されているとき、右眼用レンズ部４ａが透視状態となり、左眼用レンズ部４ｂが透視状態となる。以後、このように、右眼用切取画像と左眼用切取画像の切り換えのタイミングに合わせてシャッタ眼鏡４の右眼用レンズ部４ａと左眼用レンズ部４ｂのシャッタの切り換えを行うことで、利用者は、ディスプレイ５５に表示される画像を立体的に見ることができる。
【００４５】
インターレース方式のディスプレイ５５を用いる場合について説明すると、上述したＶＲＡＭ５６のメモリ５６ａには、右眼用切取画像データの水平走査線のデータが１ライン毎、例えば偶数番目のラインが間引かれた右眼用切取画像データが記録され、メモリ５６ｂには、左眼用切取画像データの水平走査線のデータが１ライン毎、例えば奇数番目のラインが間引かれた左眼用切取画像データが記録される。そして、メモリ５６ａからは、この右眼用の切取画像データを１フィールド分の画像データとしてディスプレイ５５に出力され、メモリ５６ｂからは、この左眼用の切取画像データを次の１フィールド分の画像データとして出力される。したがって、ディスプレイ５５には、図９（Ａ）に示すように、先ず、偶数番目のラインが間引かれた画像が表示され、次いで、奇数番目のラインが間引かれた画像が表示される。
【００４６】
このとき、眼鏡制御装置６は次のようにシャッタ眼鏡４を制御する。すなわち、図９（Ｂ）に示すように、最初のフィールド分の右眼用切取画像データがメモリ５６ａより出力されると、検出部６１は、このフィールドの最後に設けられた垂直同期信号を検出する。右眼用切取画像データの垂直同期信号を検出すると、検出部６１は、図９（Ｃ）に示すように、次に表示される左眼用切取画像データを利用者が左眼で見ることができようにするため、シャッタ眼鏡４の左眼用レンズ部４ｂをオフとし、図９（Ｄ）に示すように、右眼用レンズ部４ａをオンとするようにスイッチ６４を切り換える。これにより、ディスプレイ５５に左眼用の切取画像が表示されているとき、左眼用レンズ部４ｂが透視状態となり、右眼用レンズ部４ａが遮光状態となる。
【００４７】
次いで、検出部６１は、図９（Ｂ）に示すように、現在表示されている左眼用切取画像データの垂直同期信号を検出すると、図９（Ｄ）に示すように、次に表示される右眼用切取画像データを利用者が右眼で見ることができようにするため、シャッタ眼鏡４の右眼用レンズ部４ａをオフとし、図９（Ｃ）に示すように、左眼用レンズ部４ｂをオンとするようにスイッチ６４を切り換える。これにより、ディスプレイ５５に右眼用の切取画像が表示されているとき、右眼用レンズ部４ａが透視状態となり、左眼用レンズ部４ｂが透視状態となる。以後、このように、右眼用切取画像と左眼用切取画像の切り換えのタイミングに合わせてシャッタ眼鏡４の右眼用レンズ部４ａと左眼用レンズ部４ｂのシャッタの切り換えを行うことで、利用者は、ディスプレイ５５に表示される画像を立体的に見ることができる。
【００４８】
なお、プログレッシブ方式の場合であっても、上述したように、例えば偶数番目のラインが間引かれた右眼用切取画像データをメモリ部５６ａに記録し、奇数番目のラインが間引かれた左眼用切取画像データを記録するようにしてもよい。この場合、インターレース方式のように、ディスプレイ５５には、偶数番目のラインが間引かれた右眼用切取画像と奇数番目のラインが間引かれた左眼用切取画像が交互に表示される。また、水平ラインを間引いて右眼用切取画像データと左眼用切取画像データをＶＲＡＭ５６に出力する場合であっても、上述したようにディジタルカメラ２のＣＣＤ素子１２は、数百万画素を有するものが用いられることから、利用者に画質の劣化を感じさせることはない。
【００４９】
次に、上述したディジタルカメラ２にアダプタ５を取り付けて撮影した画像データの上記制御装置３を用いた処理、すなわち画像データの編集処理について図１０を参照して説明する。
【００５０】
先ず、ステップＳ１において、例えばディスプレイ５５に表示された編集プログラムを起動するためのアイコンをマウス５７ｂでクリックすると、ＭＰＵ５９は、ＨＤＤ５１より該編集プログラムをＲＡＭ５２に読み出し起動し、ステップＳ２に進む。
【００５１】
ステップＳ２において、ＭＰＵ５９は、キーボード５７ａやマウス５７ｂからなる入力装置５７からのコマンドに基づいて、編集する画像データのファイルを選択し、この選択されたファイルを開く。ここで、この画像データは、ＪＰＥＧ形式に圧縮されたファイルである。具体的に、ＭＰＵ５９は、ディジタルカメラ２と制御装置３とがＵＳＢで接続されているときにはディジタルカメラ２のメモリ１７より該当ファイルを圧縮／伸長部５８で伸長した後ＲＡＭ５２に読み出し、また、制御装置３のドライブにＩＣカード８が装着されているときにはこのＩＣカード８より該当ファイルを圧縮／伸長部５８で伸長しＲＡＭ５２に読み出し、ＨＤＤ５１に該当ファイルが記録されているときにはＨＤＤ５１よりこのファイルを圧縮／伸長部５８で伸長した後ＲＡＭ５２に読み出し、ステップＳ３に進む。
【００５２】
ステップＳ３において、ＭＰＵ５９は、ＲＡＭ５２に一旦記録されている読み出した画像データをＶＲＡＭ５６を介してプログレッシブ方式若しくはインターレース方式のディスプレイ５５に出力し、ディスプレイ５５に画像を表示させ、ステップＳ４に進む。このステップＳ３でディスプレイ５５には、上記図５に示した画像４１が表示される。すなわち、ディスプレイ５５には、水平方向に並んで右眼用画像４１ａと左眼用画像４１ｂが１つの画像として表示される。そして、右眼用画像４１ａと左眼用画像４１ｂとは、左右の視差の分ずれている。なお、右眼用画像４１ａと左眼用画像４１ｂの境界部４２は、ややぼやけた白いラインとして表示されている。
【００５３】
ステップＳ４において、ＭＰＵ５９は、図１１（Ａ）に示すように、画像４１を右眼用画像４１ａと左眼用画像４１に分割するための分割ライン７１をディスプレイ５５の垂直方向に表示する。そして、この分割ライン７１は、マウス５７ｂがクリックされることによってポインタ７２に保持され、利用者の目視で、画像４１の境界部４２と重なるように移動される。これによって、ＭＰＵ５９は、画像４１を右眼用画像４１ａと左眼用画像４１ｂに分割する。これによって、利用者は、右眼用画像４１ａと左眼用画像４１ｂとを容易に見分けることができる。
【００５４】
ステップＳ５において、ＭＰＵ５９は、図１１（Ｂ）に示すように、ディスプレイ５５に表示された分割ライン７１で分割された右眼用画像４１ａと左眼用画像４１ｂの垂直方向のセンターを見やすくするため、右眼用画像４１ａ用の垂直センターライン７３ａと左眼用画像４１ｂ用の垂直センターライン７３ｂを表示する。ここで、ＭＰＵ５９は、右眼用画像４１ａ用の垂直センターライン７３ａと左眼用画像４１ｂ用の垂直センターライン７３ｂを、分割ライン７１からの距離が等しくなるように表示する。そして、右眼用画像４１ａ用の垂直センターライン７３ａは、マウス５７ｂがクリックされることによってポインタ７２に保持され、利用者の目視で、利用者が所望する垂直方向のセンターに水平方向に移動される。これと同じくして、左眼用画像４１ｂ用の垂直センターライン７３ｂは、右眼用画像４１ａ用の垂直センターライン７３ａの移動量と同じ量だけ、同方向に自動的に移動される。かくして、ＭＰＵ５９は、利用者が右眼用画像４１ａの垂直方向のセンターと左眼用画像４１ｂの垂直方向のセンターを見易くし、これら設定された垂直センターライン７３ａ，７３ｂが次のステップで右眼用画像４１ａと左眼用画像４１ｂの切り取り操作の目安となるようにしている。
【００５５】
ステップＳ６において、ＭＰＵ５９は、図１１（Ｃ）に示すように、ディスプレイ５５に表示された分割ライン７１で分割された右眼用画像４１ａと左眼用画像４１ｂの水平方向のセンターを見易くするため、水平センターライン７４を表示する。ここで、ＭＰＵ５９は、右眼用画像４１ａと左眼用画像４１ｂに亘って垂直方向のセンターに表示する。そして、水平センターライン７４は、マウス５７ｂがクリックされることによってポインタ７２に保持され、利用者の目視で、利用者が所望する水平方向のセンターに垂直方向に移動される。かくして、ＭＰＵ５９は、利用者が右眼用画像４１ａと左眼用画像４１ｂの水平方向のセンターを見易くするとともに、上述した垂直センターライン７３ａ，７３ｂとで右眼用画像４１ａと左眼用画像４１ｂの中心点７５ａ，７５ｂを見極め易くし、次のステップで右眼用画像４１ａと左眼用画像４１ｂの切り取り操作の目安となるようにしている。
【００５６】
なお、この中心点７５ａ，７５ｂは、再調整を行うこともできる。すなわち、垂直センターライン７３ａ，７３ｂの調整は、図１１（Ｂ）に示すように、再度、右眼用画像４１ａ用のセンターライン７３ａを水平方向に移動させることで行うことができ、水平センターライン７４の調整は、図１１（Ｃ）に示すように、水平センターライン７４を垂直方向に移動させることで行うことができる。
【００５７】
ステップＳ７において、ＭＰＵ５９は、利用者の所望な画像の切出処理を行う。具体的に、右眼用画像４１ａにおいて利用者が上記垂直センターライン７３ａや水平センターライン７４や中心点７５ａを参考に、マウス５７ｂのポインタ７２により始点７６を決定し、対角線方向にポインタ７２が移動されると、図１１（Ｄ）に示すように、右眼用画像４１ａには、略矩形の切取線７７ａが表示される。これと同じくして、ＭＰＵ５９は、左眼用画像４１ｂにも、切取線７７ａと同形状の切取線７７ｂを表示する。このとき、ＭＰＵ５９は、分割ライン７１と切取線７７ａの分割ライン７１側の線との間隔が、左眼用画像４１ｂの分割ライン７１と反対側の側縁と切取線７７ｂの該側縁側の線との間隔と等しくなるように、切取線７７ｂを表示する。
【００５８】
かくして、ＭＰＵ５９は、ディスプレイ５５で立体表示するための右眼用切取画像７８ａの画像データと左眼用切取画像７８ｂの画像データを生成する。ところで、以上のように利用者は、ＨＤＤ５１に実際に切り取った画像のデータを保存する前に、利用者がどの様にディスプレイ５５で立体表示されるのが見たい場合がある。そこで、ステップＳ８において、ＭＰＵ５９は、右眼用切取画像７８ａの画像データと左眼用切取画像７８ｂの画像データをＶＲＡＭ５６に出力し、プレービューモードを起動する。なお、このプレビューモードについては、詳細は後述する。そして、ステップＳ１０において、ＭＰＵ５９は、右眼用切取画像７８ａの画像データと左眼用切取画像７８ｂの画像データを圧縮／伸長部５８でＪＰＥＧ形式に圧縮した後ＨＤＤ５１に保存する。なお、この保存方法についても詳細は後述する。
【００５９】
以上のような画像データの編集処理方法では、画像４１の画像データから利用者所望の領域を切り取りとることで、ディスプレイ５５に利用者の好みにあった立体画像をディスプレイ５５に表示することができる。また、画像４１の画像データを編集する際、ディスプレイ５５には、垂直センターライン７３ａ，７３ｂと水平センターライン７４が表示されることから、利用者は、画像４１の切り取り作業を容易に行うことができる。
【００６０】
なお、以上のような画像４１の編集作業は、右眼用画像４１ａを用いて行うものであることから、境界部４２をＭＰＵ５９に自動認識させるようにして、ディスプレイ５５には、編集作業用の右眼用画像４１ａのみを表示するようにしてもよい。
【００６１】
次いで、上記ステップＳ８のプレビューモードについて図１２を参照して説明する。ステップＳ１１において、ＭＰＵ５９は、入力装置５７からのコマンドに基づいて、プレビューモードを起動する。
【００６２】
ステップＳ１２において、ＭＰＵ５９は、ディスプレイ５５に表示形式の選択画面を表示する。ここで、立体画像を表示する態様としては、図１３（Ａ）に示すように、縦横比が３：４の略矩形の枠７９ａと、図１３（Ｂ）に示すように、縦横比が９：１６の略矩形の枠７９ｂと、図１３（Ｃ）に示すように、略円形の枠７９ｃとがある。そして、利用者によって入力装置５７からのコマンドに基づいて、ＭＰＵ５９は、上記図１３（Ａ）乃至図１３（Ｃ）に示す枠の中から何れか一の枠７９を選択し、ステップＳ１３に進む。
【００６３】
ステップＳ１３において、利用者によって入力装置５７からの入力信号に基づいて、右眼用切取画像７８ａの画像データと左眼用切取画像７８ｂの画像データのＶＲＡＭ５６からの出力順序を決定する。具体的に、この出力順序は、右眼用切取画像７８ａの画像データからディスプレイ５５に表示するか、左眼用切取画像７８ｂの画像データからディスプレイ５５に表示するかである。
【００６４】
ステップＳ１４において、ＭＰＵ５９は、ディスプレイ５５に視差を有するように右眼用切取画像７８ａと左眼用切取画像７８ｂとを交互に表示する。具体的に、ＭＰＵ５９は、右眼用切取画像７８ａの画像データをＶＲＡＭ５６のメモリ部５６ａに出力し、左眼用切取画像７８ｂの画像データをＶＲＡＭ５６のメモリ部５６ｂに出力する。そして、ＶＲＡＭ５６は、ステップＳ１３において決定された画像データの出力順序に基づいて、右眼用切取画像７８ａの画像データと左眼用切取画像７８ｂの画像データを交互にディスプレイ５５に出力し、ディスプレイ５５に、右眼用切取画像７８ａと左眼用切取画像７８ｂとを交互に表示させる。
【００６５】
この結果、図１４（Ａ）及び図１４（Ｂ）に示すように、ディスプレイ５５には、右眼用切取画像７８ａと左眼用切取画像７８ｂがずれたように表示される。具体的に、ディスプレイ５５に表示される右眼用切取画像７８ａと左眼用切取画像７８ｂは、利用者の視点の位置においてずれ量が０となるように表示され、このずれ量が０の位置から利用者から見て手前の方向や奥の方向に向かってずれ量が大きくなるように表示される。なお、以下、このずれ量が０の位置をクロスポイント８１という。すなわち、図１４（Ａ）に示す画像中、人の位置をクロスポイント８１とした場合、山は人より奥にあることから一方向にずれて表示され、花は人より手前にあることから他方向にずれて表示される。
【００６６】
また、上述したように、眼鏡制御装置６は、ステップＳ１３における画像データの出力順序に合わせて右眼用レンズ部４ａと左眼用レンズ部４ｂのシャッタの切換を行う。この切り換えに際して、眼鏡制御装置６は、検出部６１で右眼用切取画像７８ａの画像データと左眼用切取画像７８ｂの画像データの垂直同期信号を検出し、ディスプレイ５５に表示される右眼用切出画像７８ａと左眼用切出画像７８ｂの切換のタイミングに合わせてシャッタ眼鏡４の右眼用レンズ部４ａと左眼用レンズ部４ｂのシャッタの切換を行う。これにより、利用者は、ディスプレイ５５に表示された画像を立体的に見ることができる。以降のステップでは、利用者はシャッタ眼鏡４をかけた状態でプレビューモードの処理を行う。
【００６７】
ステップＳ１５において、利用者にとって最も立体画像を見易くするため、奥行き調整、すなわちクロスポイント８１の調整が行われる。すなわち、ＭＰＵ５９は、図１４（Ａ）に示す画面８２にクロスポイント８１の調整を行うための調整釦８３，８４を表示している。ここで調整釦８３は、クロスポイント８１を面中手前、すなわち水平に一方向に移動させるためのものであり、調整釦８４は、クロスポイント８１を画面中奥、すなわち水平に他方向に移動させるためのものである。これら調整釦８３，８４は、クロスポイント８１を水平方向に移動させるものであるから、操作を行い易くするため、画面８２中水平方向に並んで表示されている。
【００６８】
利用者が入力装置５７で調整釦８３を押したとき、ＭＰＵ５９は、クロスポイント８１を手前、すなわち図１４（Ａ）の画面８２中左下の方向に移動させる。そして、例えばクロスポイント８１が花の位置まで移動すると、ディスプレイ５５には、人の位置の右眼用切取画像７８ａと左眼用切取画像７８ｂが一方向にずれ、山の位置の画像が更に大きく一方向にずれたように表示されることになる。これによって、シャッタ眼鏡４をかけた利用者には、花を基準に人が奥にあり、更に奥に山があるように見える。また、利用者が入力装置５７で調整釦８４を押したとき、ＭＰＵ５９は、クロスポイント８１を奥、すなわち図１４（Ａ）の画面８２中右上の方向に移動させる。そして、例えばクロスポイント８１が山の位置まで移動すると、ディスプレイ５５には、人の位置の右眼用切取画像７８ａと左眼用切取画像７８ｂが他方向にずれ、花の位置の画像が更に大きく他方向にずれたように表示されることになる。これにより、利用者には、山を基準に人が手前にあり、更に手前に山があるように見える。以上のようにして、利用者は、最も立体画像を見やすい位置に奥行き調整、すなわちクロスポイント８１の調整を行うことができる。
【００６９】
ステップＳ１６において、利用者にとって最も立体画像を見易くするため、垂直方向の調整が行われる。すなわち、ディジタルカメラ２にアダプタ５を取り付けて撮影をする場合に、アダプタ５がディジタルカメラ２に対して傾いて取り付けられており、撮影された図５に示す画像４１が傾いているときがある。このような傾いた画像４１を立体的に見ることは困難である。そこで、このステップＳ１６では、ＭＰＵ５９は、画面８２に右眼用切出画像７８ａと左眼用切出画像７８ｂを垂直方向に調整するための調整釦８５，８６を表示する。利用者が入力装置５７で調整釦８５を押したとき、ＭＰＵ５９は、右眼用切出画像７８ａを上側にずらし、左眼用切出画像７８ｂを下側にずらす。また、利用者が入力装置５７で調整釦８６を押したとき、ＭＰＵ５９は、右眼用切出画像７８ａを下側にずらし、左眼用切出画像７８ｂを上側にずらす。以上のようにして、利用者は、最も立体画像を見やすい位置に右眼用切出画像７８ａと左眼用切出画像７８ｂの垂直方向の位置を調整することができる。なお、調整釦８５，８６は、画像を垂直方向に移動させるものであることから、操作を行い易くするため、画面８２中垂直方向に並んで表示されている。
【００７０】
以上のようなプレービューモードでは、画面８２に設けられた調整釦８３，８４で奥行き、クロスポイント８１の調整を行い、また、画面８２に設けられた調整釦８５，８６で右眼用切出画像７８ａと左眼用切出画像７８ｂの垂直方向の調整を行うことができることから、右眼用切出画像７８ａと左眼用切出画像７８ｂをＨＤＤ５１に保存する前に、利用者が最も立体画像を見やすい状態で保存することができる。
【００７１】
ところで、図１５に示すように、例えば上述したプレービューモードで右眼用切出画像７８ａと左眼用切出画像７８ｂとが交互に表示されている立体画像７８上を入力装置５７を構成するマウス５７ｂのポインタ７２を移動させることがある。このとき、ポインタ７２が２次元、すなわちクロスポイント８１での表示状態で表示されていると、利用者がポインタ７２を見づらくなってしまう。そこで、ＭＰＵ５９は、立体画像７８上にあるポインタ７２の位置の視差、すなわち右眼用切出画像７８ａと左眼用切出画像７８ｂのずれ量に合わせて、ポインタ７２もずらすようにしている。すなわち、図１５に示すように、クロスポイント８１が人の位置にあり、ポインタ７２が立体画像７８中奥の山の近くにあるときに、ＭＰＵ５９は、この位置における右眼用切出画像７８ａと左眼用切出画像７８ｂのずれ量に合わせてポインタ７２もずらして表示し、また、ポインタ７２が立体画像７８中手前の花の近くにあるとき、ＭＰＵ５９は、この位置における右眼用切出画像７８ａと左眼用切出画像７８ｂのずれ量に合わせてポインタ７２もずらして表示する。更には、ポインタ７２がクロスポイント８１にあるとき、ＭＰＵ５９は、右眼用切出画像７８ａと左眼用切出画像７８ｂのずれもないことから、ポインタ７２もずらすことなく平面的に表示する。これにより、利用者は、立体表示を行う立体画像７８上をポインタ７２が移動するとき、ポインタ７２が常に背景にある画像の視差に合わせて表示され、ポインタ７２を立体的に見ることができることから、利用者がポインタ７２を見づらくなることを防止することができる。
【００７２】
また、図１５に示すように、画像４１の編集を行っているとき、画像４１中に文字８７を入力することができる。すなわち、マウス５７ｂのポインタ７２によって立体画像７８中文字８７を入力する位置が指定され、キーボード５７ａによって文字（例えば「Ａ」）が入力されると、ＭＰＵ５９は、立体画像７８中の当該位置に文字８７を表示する。このとき、ＭＰＵ５９は、立体画像７８上の文字８７が入力された座標上の視差、すなわち右眼用切出画像７８ａと左眼用切出画像７８ｂのずれ量に合わせて、文字８７もずらして表示する。すなわち、クロスポイント８１が人の位置にあり、文字８７が立体画像７８中奥の山の近くに表示するとき、ＭＰＵ５９は、この位置における右眼用切出画像７８ａと左眼用切出画像７８ｂのずれ量に合わせて文字８７もずらして表示し、また、文字８７が立体画像７８中手前の花の近くにあるとき、ＭＰＵ５９は、この位置における右眼用切出画像７８ａと左眼用切出画像７８ｂのずれ量に合わせて文字８７もずらして表示する。更には、文字８７がクロスポイント８１に表示されるとき、ＭＰＵ５９は、右眼用切出画像７８ａと左眼用切出画像７８ｂのずれもないことから、文字８７もずらすことなく平面的に表示する。これにより、利用者は、立体表示を行う立体画像７８上に文字８７を表示するとき、文字８７が常に背景にある画像の視差に合わせて表示され、文字８７も立体的に見ることができることから、文字８７が見づらくなることを防止することができる。また、文字８７のずれ量を画像中最も手前のずれ量に合わしたときには、利用者には文字８７が最も手前にあるように見え、文字８７を強調することができる。
【００７３】
また、図１４（Ａ）に示すように右眼用切取画像７８ａと左眼用切取画像７８ｂが交互に表示されているとき、基準となる面は、ディスプレイ５５の画面８２や、図１３に示す枠７９となっている。すなわち、画面８２や画面上の枠７９は、視差を考慮しない平面的表示形態となっている。このため、シャッタ眼鏡４をかけて図１４（Ａ）の立体画像７８を見ている利用者は、画面８２上に表示された立体画像７８の周囲が平面的に表示されていることから、立体画像７８を立体的に見づらくなってしまう。そこで、立体画像７８の周囲には、図１６に示すように、例えば額縁のような所定の幅を有する枠体８８を表示するようにしている。この枠体８８のずれ量を、最も手前に見えるもの、例えば花のずれ量と同じ若しくはこれ以上とした場合には、利用者に、立体画像７８が枠体８８の内側に立体表示されたように見せることができる。また、この枠体８８のずれ量を、最も奥に見えるもの、例えば山のずれ量と同じ若しくはこれ以上とした場合には、利用者に、立体画像７８のものが枠体８８の飛び出したように見せることができる。このように、立体画像７８の周囲に、所定幅の枠体８８を設けることにより、利用者に、一層立体画像を見やすくすることができる。
【００７４】
次に、以上のように編集された右眼用切取画像７８ａの画像データと左眼用切取画像７８ｂからなる画像データとから構成された立体画像７８の画像データの管理方法、すなわち上記図１０中ステップＳ９の切取画像データの管理方法について図１７を参照して説明する。図１４（Ａ）に示す右眼用切取画像７９ａの画像データと左眼用切取画像７９ｂの画像データを保存するときには、先ず、入力装置５７のマウス５７ｂ等で画面８２に表示された保存釦８９が押される。保存釦８９がポインタ７２により押されると、ＭＰＵ５９は、ＲＡＭ５２上の右眼用切取画像７９ａの画像データと左眼用切取画像７９ｂの画像データをバスを介してＨＤＤ５１やＩＣカード８に保存する。具体的に、図１７に示すように、ＭＰＵ５９は、フォルダ９１内に、右眼用切取画像データファイル９２と、左眼用切取画像データファイル９３と、これらファイル９２，９３を関連づける情報からなる情報ファイル９４を保存する。
【００７５】
右眼用切取画像データファイル９２は、図１０中ステップＳ７で切り取られた右眼用切取画像７８ａの画像データであり、この画像データは、圧縮／伸長部５８でＪＰＥＧ方式に圧縮されている。また、左眼用切取画像データファイル９３は、右眼用切取画像７８ｂの画像データであり、この画像データは、圧縮／伸長部５８でＪＰＥＧ方式に圧縮されている。
【００７６】
情報ファイル９４は、右眼用切取画像７８ａと、左眼用切取画像７８ｂを交互に表示する際のクロスポイント８１の座標が記録されている。また、上述したように、偶数番目のラインが間引かれた右眼用切取画像データと奇数番目のラインが間引かれた左眼用切取画像データをディスプレイ５５に表示する際には、何れのデータが一番目のラインとなるかを示すライン情報が記録されている。すなわち、情報ファイル９４には、保存時の立体画像を再現するのに必要なデータが記録される。
【００７７】
以上のようなデータの管理方法では、右眼用切取画像データファイル９２と左眼用切取画像データファイル９３と情報ファイル９４とが分割して設けられていることから、これらのデータを、圧縮伸長しても再編集を行うことができる。すなわち、このフォルダ９１には、右眼用切取画像データファイル９２と左眼用切取画像データファイル９３があることから、利用者は、再度、右眼用切取画像７８ａと左眼用切取画像７８ｂを拡大若しくは縮小する等の再編集を行うことができる。
【００７８】
また、右眼用切取画像７８ａの画像データと左眼用切取画像７８ｂの画像データとは、図１８に示すように保存することもできる。すなわち、フォルダ９６には、上記図５に示す右眼用画像４１ａと左眼用画像４１ｂとからなる画像データからなる画像データファイル９７と、この画像データファイル９７から右眼用切取画像７８ａと右眼用切取画像７８ｂを生成するための情報からなる情報ファイル９８とが記録される。すなわち、画像データファイル９７は、上記図１０に示す編集処理前の画像データが圧縮／伸長部５８でＪＰＥＧ形式に圧縮されたものである。また、情報ファイル９８は、図１１（Ｄ）に示す分割ライン７１の位置データや垂直センターライン７３ａ，７３ｂの位置データや水平センターライン７４の位置データや切取線７７ａ，７７ｂの位置データが記録されている。また、情報ファイル９６には、右眼用切取画像７８ａと、左眼用切取画像７８ｂを交互に表示する際のクロスポイント８１の座標が記録されている。更には、偶数番目のラインが間引かれた右眼用切取画像データと奇数番目のラインが間引かれた左眼用切取画像データをディスプレイ５５に表示する際には、何れのデータが一番目のラインとなるかを示すライン情報が記録されている。すなわち、情報ファイル９８には、保存時の立体画像を再現するのに必要なデータが記録される。
【００７９】
以上のようなデータの管理方法では、右眼用画像４１ａと左眼用画像４１ｂとからなる画像データを保存していることから、この画像データを圧縮伸長しても図１７に示す保存方法より更に多くの編集作業を行うことができる。具体的には、この管理方法では、図１０に示すような編集作業を、フォルダ９６から画像データファイル９７と情報ファイル９８を読み出して再度、図１０及び図１１に示すような画像の切取等の編集作業を行うことができる。
【００８０】
更に、右眼用切取画像７８ａの画像データと左眼用切取画像７８ｂの画像データとは、次のように保存することもできる。すなわち、この保存方法は、右眼用切取画像７８ａの画像データの水平走査線のデータと左眼用切取画像７８ｂの画像データの水平走査線のデータとが交互に記憶された合成画像データを保存する方法であり、図１９に示すように、フォルダ１０１には、偶数番目のラインが間引かれた右眼用切取画像データと奇数番目のラインが間引かれた左眼用切取画像データとが合成された合成画像データが記録される合成画像データファイル１０２が記録される。
【００８１】
このような管理方法では、上記図１７及び上記図１８に示す画像データの管理方法に対して、情報ファイルが設けられないことから、再編集を行うことができないが、データサイズを小さくすることができる。なお、このフォルダ１０１には、合成画像データファイル１０２に加えて、上記図１７に示した右眼用切取画像データファイル９２と、左眼用切取画像データファイル９３と、これらファイル９２，９３に関連する情報からなる情報ファイル９４を保存するようにしてもよい。また、このフォルダ１０１には、合成画像データファイル１０２に加えて、上記図１８に示した右眼用画像４１ａと左眼用画像４１ｂとからなる画像データからなる画像データファイル９７と、この画像データファイル９７から右眼用画像７８ａと右眼用画像７８ｂを生成するための情報からなる情報ファイル９８を保存するようにしてもよい。
【００８２】
以上、図１７乃至図１９に異なるデータの管理方法について説明したが、この制御装置３では、図１７乃至図１９に異なるデータの管理方法のいずれか１つの方法で画像データをＨＤＤ５１に保存するようにしてもよく、また、これらの方法の中から何れか１つを選択してＨＤＤ５１に保存することができるようにしてもよい。例えば図１７に示す保存方法は、編集作業を中断し、再編集を行うときに便利であり、図１８に示す保存方法は、電子メールに添付して相手方に送信するとき、相手方が画像の拡大縮小を行うことができ便利である。また、図１９に示す保存方法は、ホームページ等を保存するのに便利である。
【００８３】
ところで、以上のような編集プログラムによって編集され、ＨＤＤ５１等の記録手段に上記図１７乃至図１９の形式で保存されたデータを読み出し、ディスプレイ５５に表示するブラウザについて説明する。
【００８４】
先ず、ブラウザの起動について、図２０を参照して説明すると、ステップＳ２１において、例えばディスプレイ５５に表示されたブラウザを起動するためのアイコンをマウス５７ｂでクリックすると、ＭＰＵ５９は、ＨＤＤ５１よりブラウザのプログラムをＲＡＭ５２に読み出し、ステップＳ２２に進む。
【００８５】
ステップＳ２２において、ＭＰＵ５９は、図２１に示す起動画面１１１をディスプレイ５５の画面８２略中央に表示させる。このとき、詳細は後述するが、眼鏡制御装置６は、この起動画面１１１の信号を検出して、シャッタ眼鏡４の右眼用レンズ部４ａと左眼用レンズ部４ｂのオンオフを制御する。
【００８６】
ステップＳ２４において、ＭＰＵ５９は、ディスプレイ５５の画面８２にブラウザ１１２を表示する。すなわち、ＶＲＡＭ５６は、メモリ部５６ａからブラウザ１１２の右眼用画像データをディスプレイ５５に出力し、メモリ部５６ｂからブラウザ１１２の左眼用画像をディスプレイ５５に出力する。ディスプレイ５５には、ブラウザ１１２の右眼用画像と左眼用画像が視差を有するようにずらされて交互に表示される。これにより、シャッタ眼鏡４をかけた利用者は、ブラウザ１１２の画面を立体的に見ることができる。
【００８７】
ステップＳ２５において、ＭＰＵ５９は、キーボード５７ａやマウス５７ｂからなる入力装置５７からのコマンドに基づいて、編集する画像データのフォルダ、すなわち図１７乃至図１９に示すフォルダ９１，９６，１０１を開く。ここで、選択されたファイル９１，９６，１０１は、ＪＰＥＧ形式に圧縮されていることから、ＭＰＵ５９は、ファイル９１，９６，１０１を圧縮／伸長部５８で伸長した後、ＲＡＭ５２に読み出し、ディスプレイ５５に表示されたブラウザ１１２上に右眼用切取画像７８ａと左眼用切取画像７８ｂを視差を有するように交互に表示する。すなわち、ＶＲＡＭ５６は、情報ファイル９４，９８に記録された偶数番目のラインが間引かれた右眼用切取画像データと奇数番目のラインが間引かれた左眼用切取画像データをディスプレイ５５に表示する際には、何れのデータが一番目のラインとなるかを示すライン情報に基づいて、先ずメモリ部５６ａから右眼用切取画像７８ａの画像データを出力し、次いで、左眼用切取画像７８ｂの画像データをメモリ部５６ｂから出力し、以後これを繰り返すことによってディスプレイ５５に立体画像７８を表示する。したがって、右眼用切取画像７８ａと左眼用切取画像７８ｂは、シャッタ眼鏡４をかけた利用者から見て、立体的に表示された枠体１１３の中に更に立体的に表示されることになる。このように、立体的な枠体１１３の中に更に立体的な立体画像７８を表示するようにすることで、ブラウザ１１２は、利用者にとって立体画像が見やすくなるようにしている。
【００８８】
また、このブラウザ１１２の終了動作について、図２２を参照して説明すると、ステップＳ３１において、ブラウザ１１２のコーナ部にある「×」印からなる終了指示部１１４をマウス５７ｂでクリックすると、ＭＰＵ５９は、ブラウザ１１２の終了動作を開始する。すると、ステップＳ３２において、ＭＰＵ５９は、図２１に示すように、ディスプレイ５５の画面８２の略中央に起動画面１１１と略同じ終了画面１１５を表示する。このとき、詳細は後述するが、眼鏡制御装置６は、この終了画面１１５の信号を検出して、シャッタ眼鏡４の右眼用レンズ部４ａと左眼用レンズ部４ｂを共にオフにする。そして、ステップＳ３３において、ＭＰＵ５９は、ブラウザ１１２の終了動作を完了する。
【００８９】
ところで、ブラウザ１１２を起動したときには、シャッタ眼鏡４を駆動する必要があり、このため、上記図２０に示すステップＳ２２、すなわちディスプレイ５５の画面８２に起動画面１１１が表示されているとき、眼鏡制御装置６は、このブラウザ１１２が起動したかどうかを検出するようにしている。すなわち、ブラウザ１１２が起動されたとき、図２４（Ａ）に示すように、ＶＲＡＭ５６は、ディスプレイ５５に、起動画面１１１を表示するための例えば白→黒→白→黒のパターンの映像信号を供給するようにしている。
【００９０】
ここで、図７に示す眼鏡制御装置６の検出部６１は、白→黒→白→黒のパターンの画像信号を検出し、図２０中ステップＳ２５において、最初にメモリ部５６ａから出力されるブラウザ１１２の右眼用画像の画像データを出力に合わせて、右眼用画像を利用者が右眼で見ることができようにするため、シャッタ眼鏡４の右眼用レンズ部４ａをオフとし、左眼用レンズ部４ｂをオンとするようにスイッチ６４を切り換える。これにより、ディスプレイ５５に右眼用画像が表示されているとき、右眼用レンズ部４ａが透視状態となり、左眼用レンズ部４ｂが遮光状態となる。
【００９１】
次いで、上述図８に示すように、検出部６１は、右眼用画像データの垂直同期信号を検出すると、次に表示されるブラウザ１１２の左眼用画像データを利用者が左眼で見ることができようにするため、シャッタ眼鏡４の左眼用レンズ部４ｂをオフとし、右眼用レンズ部４ａをオンとするようにスイッチ６４を切り換える。これにより、ディスプレイ５５に左眼用画像が表示されているとき、左眼用レンズ部４ｂが透視状態となり、右眼用レンズ部４ａが遮光状態となる。以後、このように、右眼用画像７８ａと左眼用画像７８ｂの切り換えのタイミングに合わせてシャッタ眼鏡４の右眼用レンズ部４ａと左眼用レンズ部４ｂのシャッタの切り換えを行うことで、利用者は、ディスプレイ５５に表示されるブラウザ１１２の画像を立体的に見ることができる。
【００９２】
なお、ＭＰＵ５９は、白→黒→白→黒のパターンの映像信号を検出することで、画面８２上のブラウザ１１２が表示されていない領域のアイコン、文字等を視差を有する画像にし、利用者が画面全部に表示されたものを立体的に見ることができるようにしてもよい。これによって、画面全体が立体表示画像となり、右眼用切取画像７８ａと左眼用切取画像７８ｂとからなる立体画像７８が表示されていない領域がちらつくことを防止することができる。このように、白→黒→白→黒のパターンの映像信号は、シャッタ眼鏡４とディスプレイ５５に表示される画像とを同期させるための同期信号として用いられるとともに、ブラウザ１１２が開いたことを検出するための検出信号として用いられている。
【００９３】
また、ブラウザ１１２を終了するとき、シャッタ眼鏡４の駆動を停止する必要があり、このため、上記図２３に示すステップＳ３２、すなわちディスプレイ５５の画面８２に終了画面が表示されているとき、眼鏡制御装置６は、このブラウザ１１２が終了したかどうかを検出するようにしている。すなわち、ブラウザ１１２が終了するとき、図２４（Ｂ）に示すように、ＶＲＡＭ５６は、ディスプレイ５５に、終了画面１１５を表示するための例えば白→黒→黒→白のパターンの画像信号を供給するようにしている。
【００９４】
ここで、図７に示す眼鏡制御装置６の検出部６１は、白→黒→黒→白のパターンの映像信号を検出すると、以降立体画像を見ることができなくなることから、シャッタ眼鏡４の右眼用レンズ部４ａと左眼用レンズ部４ｂを共にオフとし、右眼用レンズ部４ａと左眼用レンズ部４ｂをともに透視状態にする。すなわち、シャッタ眼鏡４をオフにしレンズ部４ａ，４ｂを透視状態とすることで、利用者がブラウザ１１２を起動していないとき、平面的表示を見易くなるようにしている。
【００９５】
なお、上述した画面８２上のブラウザ１１２が表示されていない領域のアイコン、文字等を視差を有する画像にし、利用者が画面全部に表示されたものを立体的に見ることができるようにした場合には、この白→黒→黒→白のパターンの映像信号を検出することで、ＭＰＵ５９は、アイコン、文字等を視差を有する画像を止め、ずれのない画像に切り換える。すなわち、白→黒→黒→白のパターンの映像信号は、シャッタ眼鏡４をオフにするための検出信号として用いられるとともに、ブラウザ１１２が閉じたことを検出するための検出信号として用いられている。
【００９６】
以上のように、ブラウザ１１２では、起動するときに、白→黒→白→黒のパターンの映像信号をＶＲＡＭ５６より出力し、眼鏡制御装置６でこの信号を検出するようにすることで、ディスプレイ５５に交互に出力されるブラウザ１１２の右眼用画像データと左眼用画像データに同期させてシャッタ眼鏡４の右眼用レンズ部４ａと左眼用レンズ部４ｂの液晶シャッタの切り換え制御をすることができる。これによって、例えばディスプレイ５５に右眼用画像が表示されているときに、右眼用レンズ部４ａが透視状態で左眼用レンズ部４ｂが透視状態となり、右眼用画像を左眼で見るといった不具合を無くすことができる。また、ブラウザ１１２では、終了するとき、白→黒→黒→白のパターンの映像信号をＶＲＡＭ５６より出力し、眼鏡検出装置６でこの信号を検出するようにすることで、シャッタ眼鏡４の右眼用レンズ部４ａと左眼用レンズ部４ｂを共にオフとし、右眼用レンズ部４ａと左眼用レンズ部４ｂをともに透視状態にすることで、平面的表示を見易くすることができる。また、起動画面１１１と終了画面１１５に以上のような画像信号を用いることで、利用者が目に付くことを防止することができる。
【００９７】
なお、ブラウザ１１２の起動時と終了時の映像信号は、起動時の白→黒→白→黒のパターンや白→黒→黒→白のパターンに限定されるものではなく、目に付きやすくない色のパターンであればどの様な色や組み合わせであってもよい。
【００９８】
ところで、第１の立体画像となる立体表示されたブラウザ１１２上に更に第２の立体画像を重畳してディスプレイ５５に表示する場合がある。例えば、図２５に示すように、既に切り取られた立体画像をブラウザ１１２上に貼り付けたり、ブラウザ１１２上に表示された立体画像７８を移動させる場合である。図９及び図２５に示すように、水平走査線のデータの偶数番目のラインが間引かれた右眼用切取画像と水平走査線のデータの奇数番目のラインが間引かれた左眼用切取画像とを交互に表示する場合には、ブラウザ１１２上で立体画像７８を貼り付けたり移動したときに、ブラウザ１１２の右眼用のライン上に立体画像７８の左眼用のラインが位置してしまうことがある。すなわち、ブラウザ１１２が右眼用画像を表示しているときに立体画像７８が左眼用画像を表示し、或いは、ブラウザ１１２が左眼用画像を表示しているときに立体画像７８が右眼用画像を表示することになる。この場合、利用者は、立体画像７８を立体的に見ることができなくなってしまう。そこで、このブラウザ１１２は、図２５に示すように、立体画像７８を移動した際、ブラウザ１１２のラインと立体画像７８のラインとが一致しなかった場合に、垂直方向に立体画像７８を１ライン分ずらし、ブラウザ１１２のラインと立体画像７８のラインとが一致するようにしている。
【００９９】
具体的に、図２６に示すように、ステップＳ４１において、マウス５７ｂにより例えば図２５中左上の第１の位置にある立体画像７８選択し、図２５中右下の第２の位置に立体画像７８の移動先を指定し、又は貼り付け先を指定すると、ステップＳ４２において、ＭＰＵ５９は、第１の位置にある立体画像７８を第２の位置に移動させ又は立体画像７８を貼り付ける。
【０１００】
そして、ＭＰＵ５９は、ステップＳ４３において、立体画像７８の移動先若しくは貼り付け先である第２の位置において、走査方向の最も上流側の座標Ａ（Ｘ，Ｙ）のＹがブラウザ１１２の右眼用の水平走査線のライン上にあるか左眼用の水平走査線のライン上にあるかを検出する。そして、ＭＰＵ５９は、立体画像７８の一番目の水平走査線のラインとブラウザ１１２の水平走査線のラインとが一致しているとき処理を終了し、一致していないときステップＳ４４に進む。すなわち、立体画像７８の１番目の水平走査線のラインが右眼用である場合に、Ｙがブラウザ１１２の右眼用の水平走査線のライン上にある場合には、ブラウザ１１２の水平走査線のラインと立体画像７８の一番目の水平走査線のラインが一致しているものとして、ＭＰＵ５９は、処理を終了する。また、立体画像７８の１番目の水平走査線のラインが右眼用である場合に、Ｙがブラウザ１１２の左眼用の水平走査線おライン上にある場合には、ブラウザ１１２の水平走査線のラインと立体画像７８の一番目の水平走査線のラインが一致していないものとして、ＭＰＵ５９は、ステップＳ４４に進む。
【０１０１】
ステップＳ４４において、ＭＰＵ５９は、上下何れか一方に１ライン分立体画像７８を移動する。これにより、ＭＰＵ５９は、立体画像７８の一番目の水平走査線のラインとブラウザ１１２の水平走査線のラインとを一致させ、利用者が立体画像７８を立体的に見ることができるようにする。そして、ＭＰＵ５９は、処理を終了する。
【０１０２】
以上のようにブラウザ１１２では、立体画像７８を移動し、また、立体画像７８を貼り付ける場合であっても、常に、立体画像７８を画像の枠となるブラウザ１１２のラインと立体画像７８のラインとを一致させることから、利用者は常に立体画像を見ることができる。
【０１０３】
また、図２７に示すように、第１の立体画像となるブラウザ１１２上に表示された第２の立体画像となる立体画像７８を拡大若しくは縮小する場合がある。図９及び図２７に示すように、偶数番目の水平走査線のラインが間引かれた右眼用切取画像と奇数番目の水平走査線のラインが間引かれた左眼用切取画像とを交互に表示する場合には、ブラウザ１１２上で立体画像７８を拡大若しくは縮小したときに、ブラウザ１１２の右眼用の水平走査線のライン上に立体画像７８の左眼用の水平走査線のラインが位置してしまうことがある。すなわち、ブラウザ１１２が右眼用画像を表示しているときに立体画像７８が左眼用画像を表示し、或いは、ブラウザ１１２が左眼用画像を表示しているときに立体画像７８が右眼用画像を表示することになる。この場合、利用者は、立体画像７８を立体的に見ることができなくなってしまう。そこで、このブラウザ１１２は、図２７に示すように、立体画像７８を拡大若しくは縮小した際、ブラウザ１１２の水平走査線のラインと立体画像７８の水平走査線ラインとが一致しなかった場合に、垂直方向に立体画像７８を１ライン分ずらし、ブラウザ１１２のラインと立体画像７８のラインとが一致するようにしている。
【０１０４】
具体的に、図２８に示すように、ステップＳ５１において、入力装置５７により立体画像７８選択し、選択した立体画像７８の表示倍率を指定する。そして、ＭＰＵ５９は、ステップＳ５２において、利用者により指定された表示倍率に基づいて、立体画像７８を拡大若しくは縮小する。
【０１０５】
そして、ＭＰＵ５９は、ステップＳ５３において、立体画像７８を拡大した画像１２１ａ又は縮小した画像１２１ｂの走査方向の最も上流側の座標Ｂ1（Ｘ1，Ｙ1）、Ｂ2（Ｘ2 ，Ｙ2 ）のＹ1 ，Ｙ2 がブラウザ１１２の右眼用の水平走査線のライン上にあるか左眼用のライン上にあるかを検出する。そして、ＭＰＵ５９は、画像１２１ａ，１２１ｂの一番目の水平走査線のラインとブラウザ１１２の水平走査線のラインとが一致しているとき処理を終了し、一致していないときステップＳ５４に進む。すなわち、画像１２１ａ，１２１ｂの１番目の水平走査線のラインが右眼用である場合に、Ｙ1 ，Ｙ2 がブラウザ１１２の右眼用の水平走査線のライン上にある場合には、ブラウザ１１２のラインと立体画像７８の一番目の水平走査線のラインが一致しているものとして、ＭＰＵ５９は、処理を終了する。また、立体画像７８の１番目の水平走査線のラインが右眼用である場合に、Ｙ1 ，Ｙ2 がブラウザ１１２の左眼用の水平走査線のライン上にある場合には、ブラウザ１１２のラインと立体画像７８の一番目の水平走査線のラインが一致していないものとして、ＭＰＵ５９は、ステップＳ４４に進む。
【０１０６】
ステップＳ５４において、ＭＰＵ５９は、上下何れか一方に１ライン分画像１２１ａ，１２１ｂを移動し、画像１２１ａ，１２１ｂの一番目の水平走査線のラインとブラウザ１１２の水平走査線のラインとを一致させる。また、他の方法として、ＭＰＵ５９は、画像１２１ａ，１２１ｂの一番目の水平走査線のラインとブラウザ１１２の水平走査線のラインとを一致させるように、利用者が指定した表示倍率に最も近いところで、画像１２１ａ，１２１ｂを再度拡大又は縮小する。以上のような方法によって、ＭＰＵ５９は、画像１２１ａ，１２１ｂの一番目のラインとブラウザ１１２の水平走査線のラインとを一致させ、利用者が拡大若しくは縮小された画像１２１ａ，１２１ｂを立体的に見ることができるようにする。そして、ＭＰＵ５９は、処理を終了する。
【０１０７】
以上のようにブラウザ１１２では、画像１２１ａ，１２１ｂを拡大又は縮小する場合であっても、常に、画像１２１ａ，１２１ｂを画像の枠となるブラウザ１１２のラインと立体画像７８のラインとを一致させることから、利用者は常に立体画像を見ることができる。
【０１０８】
ところで、以上のような右眼用画像４１ａと左眼用画像４１ｂとからなる画像４１を編集するための編集プログラムや、この編集プログラムで編集された画像を見るためのブラウザは、ＨＤＤ５１に記憶保存しておく他、磁気ディスク、光磁気ディスク、光ディスク、半導体メモリ等の記録媒体に記憶保存しておくこともできる。この場合、これらプログラムは、図６に示すように、上記記録媒体がドライブ部１３１に装着され、入力装置５７によって起動する操作がなされると、ＭＰＵ５９は、記録媒体よりバスを介してＲＡＭ５２に読み出される。そして、上述した処理は、記録媒体より読み出されたプログラムによって処理が実行される。
【０１０９】
また、これらプログラムは、当該プログラムが記録された磁気ディスク、光磁気ディスク、光ディスク、半導体メモリ等の利用者に提供する提供媒体を介して、ドライブ部１３１よりＨＤＤ５１にインストールすることもできる。また、このような提供媒体を介してＨＤＤ５１にこれらプログラムをインストールする他、ダウンロードサイトから無線又は有線で送受信部１３２を介してＨＤＤ５１にインストールすることもできる。
【０１１０】
次に、以上のように構成された立体画像システム１を用いたネットワークシステム１５１について、図２９を参照して説明する。このネットワークシステム１５１は、立体画像データを蓄積するサーバ装置１５２と、サーバ装置１５２にアクセスして立体画像データをダウンロードする個人端末装置１５３とを備える。そして、サーバ装置１５２と複数の個人端末装置１５３とは、ネットワークを介して接続されている。
【０１１１】
サーバ装置１５２は、通常のコンピュータとほぼ同様な構成を有しており、立体画像データ等を蓄積している記憶部１６１と、全体の動作を制御するプログラム等の各種プログラムが記憶されているリードオンリメモリ（Read-Only Memory，以下、ＲＯＭともいう。）１６２と、ＲＯＭ１６２に記録されているプログラム等を一旦読み込むＲＡＭ１６３と、個人端末装置１５３とデータの送受信を行うための送受信部１６４と、全体を制御するＭＰＵからなる制御部１６５とを備える。
【０１１２】
このようなサーバ装置１５２は、ＲＯＭ１６２からＲＡＭ１６３に全体の動作を制御するプログラムが一旦読み出され、制御部１６５で実行されることにより装置全体の動作が制御される。サーバ装置１５２には、記憶部１６１に、立体画像等で構成されたホームページが開設されており、個人端末装置１５３からこのホームページにアクセス、すなわち閲覧することができるようになっている。
【０１１３】
また、個人端末装置１５３は、上述した制御装置３に相当するものであり、同様な構成を有している。すなわち、図２９に示すように、画像４１を立体的に表示させるための閲覧検索ソフトウェア（ブラウザ１１２）や電子メールプログラム等が記録されているＨＤＤ５１と、ＨＤＤ５１に記録されているアプリケーションプログラム等を一旦読み込むＲＡＭ５２と、画像４１等を表示するためのディスプレイ５５と、ＶＲＡＭ５６と、入力装置５７と、ＪＰＥＧ形式のデータを伸長するとともにデータをＪＰＥＧ形式に圧縮する圧縮／伸長部５８と、全体を制御するＭＰＵ５９とを備える。
【０１１４】
この個人端末装置１５３は、例えば個人の利用者宅に設置されており、変調復調器及び電話回線、ターミナルアダプタ及びＩＳＤＮ（Integrated Services Digital Network）回線、ＣＡＴＶ（Cable Television）回線等を介してインターネット１５４内のプロバイダに接続されている。例えば、サーバ装置１５２に開設されたホームページを閲覧するときには、利用者が入力装置５７を操作して所望のホームページのＵＲＬ（Uniform Resource Locator）の入力操作を行うと、ブラウザ１１２、ＴＣＰ／ＩＰプロトコル(Transmission Control Protocol/Internet Protocol)等が実行され、この結果、個人端末装置１５３は、インターネット１５４を介してサーバ装置１５２にアクセスして、アクセスしたホームページをダウンロードしディスプレイ５５に表示する。また、利用者は、この個人端末装置１５３を使用してインターネット１５４を介して他の利用者の個人端末装置１５３に電子メールを送信することができる。
【０１１５】
また、この個人端末装置１５３には、図２９に示すように、ＶＲＡＭ５６とディスプレイ５５との間に、ディスプレイ５５に表示されている画像を立体的にみるためのシャッタ眼鏡４が眼鏡制御装置６を介して接続されている。したがって、利用者は、このシャッタ眼鏡４をかけることによってホームページに表示された視差を有する画像を立体的に見ることができる。
【０１１６】
以上のようなネットワークシステム１５１で利用者が個人端末装置１５３でサーバ装置１５２に開設されたホームページを閲覧する場合について説明する。このサーバ装置１５２には、視差を有する画像として、例えば図１９に示すような方法で立体画像用のデータが蓄積されている。この立体画像用のデータは、図１９に示すように、偶数番目のラインが間引かれた右眼用切取画像データと奇数番目のラインが間引かれた左眼用切取画像データとが合成された合成画像データが記録される合成画像データファイル１０２が蓄積されている。このような合成画像データファイル１０２は、データサイズが小さいことから、サーバ装置１５２から合成画像データファイル１０２をダウンロードする時間を短縮することができる。
【０１１７】
一方、個人端末装置１５３では、図３０に示すステップＳ６１において、図２０及び図２１に示すように、ホームページを閲覧する場合に、先ず、ディスプレイ５５に表示されたブラウザを起動するためのアイコンをマウス５７ｂでクリックすると、ＭＰＵ５９は、ＨＤＤ５１よりブラウザのプログラムをＲＡＭ５２に読み出し、図２１に示す起動画面１１１をディスプレイ５５の画面８２に表示する。ここで、図２４（Ａ）に示すように、ＶＲＡＭ５６は、ディスプレイ５５に、起動画面１１１を表示するための白→黒→白→黒のパターンの映像信号を供給する。眼鏡制御装置６の検出部６１は、白→黒→白→黒のパターンの映像信号を検出し、ブラウザ１１２が起動されたことを検出する。ブラウザ１１２の起動が終了すると、ＶＲＡＭ５６からは、ブラウザ１１２の右眼用画像データと左眼用画像データが交互に出力され、ディスプレイ５５にには、右眼用画像と左眼用画像が交互に視差を有するように表示される。
【０１１８】
ブラウザ１１２の起動が終了するのと同時に、眼鏡制御装置６は、ステップＳ６２において、ブラウザ１１２の右眼用画像が表示されたとき、シャッタ眼鏡４の右眼用レンズ４ａを透視状態とし、左眼用レンズ部４ｂが遮光状態となるように制御し、次いで、ブラウザ１１２の左眼用画像が表示されたとき、シャッタ眼鏡４の左眼用レンズ４ｂを透視状態とし、右眼用レンズ部４ａが遮光状態となるように制御し、これを繰り返すようにシャッタ眼鏡４を制御する。このように、ブラウザ１１２の右眼用画像と左眼用画像の切り換えのタイミングに合わせてシャッタ眼鏡４の右眼用レンズ部４ａと左眼用レンズ部４ｂのシャッタの切り換えを行うことで、利用者は、ディスプレイ５５に表示されるブラウザ１１２の画像を立体的に見ることができる。
【０１１９】
そして、ステップＳ６３において、利用者が入力装置５７を操作して所望のホームページのＵＲＬの入力操作を行うと、個人端末装置１５３は、インターネット１５４を介してサーバ装置１５２にアクセスして、アクセスしたホームページをダウンロードしディスプレイ５５に表示する。また、ホームページに掲載された立体画像を選択し、ダウンロードすることもできる。この選択された画像は、サーバ装置１５２の記憶部１６１に図１７に示す方法で立体画像データが蓄積されている。図１７に示す画像データは、右眼用画像データファイル９２と、左眼用画像データファイル９３と、これらファイル９２，９３に関連する情報からなる情報ファイル９４とから構成されている。この画像データは、右眼用画像データファイル９２と左眼用画像データファイル９３があることから、個人端末装置１５３で、右眼用画像と左眼用画像を拡大若しくは縮小する編集作業を編集プログラムによって行うことができる。
【０１２０】
以上のようなネットワークシステム１５１では、サーバ装置１５２に図１７や図１９に示す方法で立体画像用の画像データを蓄積し、個人端末装置１５３側で利用者がシャッタ眼鏡４をかけてディスプレイ５５に表示されたホームページを見ることで、ディスプレイ５５に表示された画像を立体的に見ることができる。例えば、利用者がインターネット１５４を介して商品を購入するとき、利用者は商品を立体的に見ることができ、商品を購入するか否かの判断を容易に行うことができるようになる。
【０１２１】
また、このネットワークシステム１５１では、個人端末装置１５３間で電子メールのやり取りを行うこともできる。例えば、上述したディジタルカメラ２にアダプタ５を取り付けて上述した編集処理を行った画像データを電子メールに添付して他の個人端末装置１５３に送信する場合である。ここで、送信側の個人端末装置１５３のＨＤＤ５１に図１７に示す方法で画像データが保存されている場合について説明する。この場合、上述したように、フォルダ９１には、右眼用切取画像データファイル９２と、左眼用切取画像データファイル９３と、これらファイル９２，９３に関連する情報からなる情報ファイル９４とが保存されている。
【０１２２】
送信側となる個人端末装置１５３は、利用者が入力装置５７を操作して、送信先であるサーバ装置１５２のアドレスにフォルダ９１を送信する。これによって、サーバ装置１５２の記憶部１６１には、送信されたフォルダ９１が蓄積される。この後、受信者となる利用者の個人端末装置１５３がサーバ装置１５２のアドレスにアクセスすると、受信者の個人端末装置１５３は、フォルダ９１をダウンロードし、ＨＤＤ５１に蓄積する。
【０１２３】
受信者側の個人端末装置１５３では、フォルダ９１に保存された画像を見る際に、図２１に示す手順でブラウザ１１２が起動される。そして、受信者である利用者は、受信したファイル９１を開き、ＶＲＡＭ５６が右眼用切取画像データファイル９２と左眼用切取画像データファイル９３とを視差を有するように交互にディスプレイ５５に表示することによってシャッタ眼鏡４をかけた状態でブラウザ１１２に表示された画像を立体的に見ることができる。ところで、このフォルダ９１には、右眼用切取画像データファイル９２と左眼用切取画像データファイル９３があることから、利用者は、再度、右眼用切取画像７８ａと左眼用切取画像７８ｂを拡大若しくは縮小する等の再編集を行うことができる。
【０１２４】
次に、ＨＤＤ５１に図１８に示す方法で画像データが保存されている場合について説明する。この場合、上述したように、フォルダ９６には、上記図５に示す右眼用画像４１ａと左眼用画像４１ｂとからなる画像データからなる画像データファイル９７と、この画像データファイル９７から右眼用画像７８ａと右眼用画像７８ｂを生成するための情報からなる情報ファイル９８とが保存されている。
【０１２５】
送信側となる個人端末装置１５３は、利用者が入力装置５７を操作して、サーバ装置１５２を介して受信者となる利用者の個人端末装置１５３にフォルダ９６に送信する。
【０１２６】
受信者側の個人端末装置１５３では、フォルダ９６に保存された画像を見る際に、図２１に示す手順でブラウザ１１２が起動される。そして、受信者である利用者は、受信したファイル９６を開き、ＶＲＡＭ５６が右眼用切取画像データファイル９２と左眼用切取画像データファイル９３とを視差を有するように交互にディスプレイ５５に表示することによってシャッタ眼鏡４をかけた状態でブラウザ１１２に表示された画像を立体的に見ることができる。ところで、このフォルダ９１には、画像データファイル９７があることから、利用者は、再度、図１０に示すような編集作業、すなわち右眼用画像と左眼用画像の切取等の編集作業を行うことができる。
【０１２７】
以上のようなネットワークシステム１５１では、各個人端末装置１５３が少なくともブラウザ１１２を有していることで、電子メールに立体画像を添付して、立体画像データのやり取りを行うことができる。
【０１２８】
以上、画像データをＪＰＥＧ形式で圧縮して保存等する例に取り説明したが、本発明は、ＭＰＥＧ（motion picture expert group）等の圧縮方式であってもよい。また、以上、静止画の例を説明したが、動画であってもよい。
【０１２９】
【発明の効果】
本発明に係る立体画像データ生成装置及び立体画像データ生成方法によれば、右眼用画像の切取線で切り取って形成された右眼用画像データのファイルと、左眼用画像の切取線で切り取って形成された左眼用画像データのファイルと、右眼用画像データと左眼用画像データとを表示部に視差を有するように表示するためのクロスポイントの座標情報が記録された情報ファイルとを有することから、利用者は、再度、右眼用画像データと左眼用画像データを拡大若しくは縮小する等の再編集を行うことができる。
【０１３０】
また、本発明に係る立体画像データ生成装置及び立体画像データ生成方法によれば、入力部より入力された境界部を挟んで右眼用画像と左眼用画像とが並んだ１つの画像データファイルと、１つの画像データファイルから指示手段において指示した一の切取線と他の切取線の位置を示す切取情報と切取情報に従って切り取られた右眼用画像と左眼用画像とを表示部に視差を有するように表示するためのクロスポイントの座標情報が記録された情報ファイルとを有することから、利用者は、画像の切取等の編集作業を行うことができる。
【０１３１】
更に、本発明に係る立体画像データ生成装置及び立体画像データ生成方法によれば、右眼用画像の切取線で切り取って形成された右眼用画像データのファイルと、左眼用画像の切取線で切り取って形成された左眼用画像データのファイルと、右眼用画像データと左眼用画像データとを表示部に視差を有するように表示するためのクロスポイントの座標情報が記録された情報ファイルとを用いて、立体用画像の読み出しを行うことができるとともに、右眼用画像データの水平走査線のデータと左眼用画像データの水平走査線のデータとが交互に記憶された合成画像データファイルを用いて立体用画像の読み出しを行うことができる。右眼用画像データのファイルと、左眼用画像データのファイルと、右眼用画像データと情報ファイルとを用いて読み出しを行ったときには、画像の切取等の編集作業を行うことができる。
【図面の簡単な説明】
【図１】立体画像表示システムの全体構成を示す図である。
【図２】ディジタルカメラの構成を説明するブロック図である。
【図３】ディジタルカメラの鏡筒に取り付けられるアダプタの斜視図である。
【図４】上記アダプタの構成を説明する図である。
【図５】ディジタルカメラにアダプタを取り付けた際、ＣＣＤ素子に取り込まれた画像を説明する図である。
【図６】ディジタルカメラで撮影された右眼用画像と左眼用画像とからなる画像データを編集し表示する制御装置のブロック図である。
【図７】シャッタ眼鏡を制御する眼鏡制御装置のブロック図である。
【図８】プログレッシブ方式のときに、シャッタ眼鏡の右眼用レンズ部と左眼用レンズ部の切り換えのタイミングを説明する図である。
【図９】インターレース方式のときに、シャッタ眼鏡の右眼用レンズ部と左眼用レンズ部の切り換えのタイミングを説明する図である。
【図１０】画像データを編集処理を説明する図である。
【図１１】編集画面を説明する図である。
【図１２】プレビューモードを説明する図である。
【図１３】プレビューモードにおける画像の表示態様を説明する図である。
【図１４】プレービューモードの表示画面を説明する図である。
【図１５】プレービューモードの表示画面上にあるポインタや文字の表示方法を説明する図である。
【図１６】画像の周囲に立体的な枠を表示する方法を説明する図である。
【図１７】画像データの保存形式を説明する図である。
【図１８】画像データの保存形式の他の例を説明する図である。
【図１９】画像データの保存形式の更に他の例を説明する図である。
【図２０】ブラウザの起動手順を説明する図である。
【図２１】ブラウザの起動画面を説明する図である。
【図２２】ブラウザに画像が表示された状態を示す図である。
【図２３】ブラウザを閉じるときの手順を説明する図である。
【図２４】ブラウザの起動画面及び終了画面のときの信号を説明する図である。
【図２５】ブラウザ上に表示された画像を移動する状態を説明する図である。
【図２６】ブラウザ上に表示された画像を移動する手順を説明する図である。
【図２７】ブラウザ上に表示された画像を拡大又は縮小する状態を説明する図である。
【図２８】ブラウザ上に表示された画像を拡大又は縮小する手順を説明する図である。
【図２９】立体画像システムを用いたネットワークシステムを説明する図である。
【図３０】ホームページを見るときの手順を説明する図である。
【符号の説明】
１  立体画像システム、２  ディジタルカメラ、３  制御装置、４  シャッタ眼鏡、５  アダプタ、６  眼鏡制御装置
【図１】
0004415450.tif 000002
【図２】
0004415450.tif 000003
【図３】
0004415450.tif 000004
【図４】
0004415450.tif 000005
【図５】
0004415450.tif 000006
【図６】
0004415450.tif 000007
【図７】
0004415450.tif 000008
【図８】
0004415450.tif 000009
【図９】
0004415450.tif 000010
【図１０】
0004415450.tif 000011
【図１１】
0004415450.tif 000012
【図１２】
0004415450.tif 000013
【図１３】
0004415450.tif 000014
【図１４】
0004415450.tif 000015
【図１５】
0004415450.tif 000016
【図１６】
0004415450.tif 000017
【図１７】
0004415450.tif 000018
【図１８】
0004415450.tif 000019
【図１９】
0004415450.tif 000020
【図２０】
0004415450.tif 000021
【図２１】
0004415450.tif 000022
【図２２】
0004415450.tif 000023
【図２３】
0004415450.tif 000024
【図２４】
0004415450.tif 000025
【図２５】
0004415450.tif 000026
【図２６】
0004415450.tif 000027
【図２７】
0004415450.tif 000028
【図２８】
0004415450.tif 000029
【図２９】
0004415450.tif 000030
【図３０】
0004415450.tif 000031